(57)【要約】【課題】通信回線を介してサーバ装置から外部装置に与えられるリスト中の選択されたデータに対する外部装置側での読み込み等の迅速性を確保できるサーバ装置を提供する。【解決手段】記憶手段に記憶されたデータに関する見出しを含むリストを作成して外部装置に送出するリスト作成手段と、リストに含まれる見出しのうちの少なくともいずれか１つの見出しを先読み対象して設定し、外部装置に対し、先読み対象とした見出しに対応するデータを先読みさせる先読み制御手段と、リストに含まれるいずれかの見出しに関する読み込み要求が与えられると、その見出しに対応するデータを外部装置に送出するデータ送出手段とを備える。先読み制御手段は、先読み対象としたデータを、そのデータの全データ量に対する予め設定された割合又はデータ量まで外部装置に先読みさせる。【選択図】図１
2007310444.tif 000002
【特許請求の範囲】
【請求項１】
複数のデータを記憶する記憶手段と、
前記記憶手段に記憶されている前記データに関する見出しを含むリストを作成し、通信回線を介して外部装置に送出するリスト作成手段と、
前記リストに含まれる前記見出しのうちの少なくともいずれか１つの見出しを先読み対象して設定し、前記外部装置にて前記リスト中の前記見出しが選択されたか否かにかかわらず、前記通信回線を介して前記外部装置に対し、前記先読み対象とした前記見出しに対応する前記データを先読みさせる先読み制御手段と、
前記通信回線を介して前記リストに含まれるいずれかの前記見出しに関する読み込み要求が与えられると、その見出しに対応する前記データを前記記憶部から読み出し、前記通信回線を介して前記外部装置に送出するデータ送出手段と、
を備え、
前記先読み制御手段は、先読み対象とした前記データを、そのデータの全データ量に対する予め設定された割合又はデータ量まで前記外部装置に先読みさせることを特徴とするサーバ装置。
【請求項２】
請求項１に記載のサーバ装置において、
前記先読み制御手段は、前記リストに含まれる前記見出しの数又は先読み対象としたデータの数が増加するのに応じて、先読み対象とした各データの全データ量に対する前記外部装置に先読みさせる前記割合又は前記データ量を小さくすることを特徴とするサーバ装置。
【請求項３】
請求項１又は請求項２に記載のサーバ装置において、
前記先読み制御手段は、前記リスト中の複数の前記見出しを先読み対象とするときに、対応する前記データの特性に応じて予め設定された優先順位に従って、優先順位の高い前記データから優先的に前記外部装置に先読みさせることを特徴とするサーバ装置。
【請求項４】
請求項１ないし請求項３のいずれかに記載のサーバ装置において、
通信回線を介して外部装置から検索条件を含む検索要求が与えられると、その検索条件に基づいて、前記記憶手段に記憶されている前記データのうちから前記検索条件に関連するデータを検索する検索処理手段をさらに備え、
前記リスト作成手段は、前記検索処理手段によって検索された前記データに関する前記見出しを含むリストを作成し、前記通信回線を介して検索要求元の前記外部装置に送出することを特徴とするサーバ装置。
【請求項５】
請求項１ないし請求項４のいずれかに記載のサーバ装置において、
前記記憶手段に記憶される前記データは画像データであり、
前記リストに含まれる前記見出しには、検索された前記画像データに対応する実画像の縮小画像が含まれていることを特徴とするサーバ装置。
【発明の詳細な説明】
【技術分野】
【０００１】
本発明は、サーバ装置に関する。
【背景技術】
【０００２】
サーバ装置と外部装置との間で行われるデータ通信の例としては、外部装置側からサーバ装置に保存されたデータを検索し、検索したデータを外部装置に読み込んで表示する等が行われる。この場合、検索したデータを外部装置に読み込むのに時間がかかり、問題となる場合がある。
【０００３】
この点に関する従来技術として、例えば特許文献１に記載のものがある。この従来技術では、複数の縮小画像を読み込むステップと、読み込まれた複数の縮小画像の中からいずれかの縮小画像が選択されたかどうかに関係なく、複数の縮小画像を所定の順序で読み込むステップと、読み込まれた複数の縮小画像の中から選択された縮小画像の情報を受け付けるステップと、選択された複数の縮小画像に対応する本画像を、未だ読み込んでいない場合に読み込むステップとが含まれている（請求項９等）。また、縮小画像が選択されたかどうかにかかわらず本画像を読み込むに当たっては、本画像の特徴情報等を考慮して、プリント対象として選択される可能性の高いものを優先的に読み込むことが記載されている（段落［００２６］、［００２７］、［００３０］等）。これによって、複数の縮小画像の中から読み込み対象となる縮小画像が選択された場合に、その選択された縮小画像に対応する本画像（実画像）の読み込み又は表示が迅速に行われるようにしている。
【特許文献１】特開２００５−３２３２８２号公報
【発明の開示】
【発明が解決しようとする課題】
【０００４】
しかしながら、前記従来技術では、先読み対象となっている実画像の数や特性に関係なく、先読み対象となっている実画像データをすべて先読みするようになっている。このため、先読み対象となっている画像の数が多い場合や、画像のデータ量が大きい場合には、実画像データの先読みに時間がかかり、実際にいずれかの縮小画像が選択されて本画像の読み込みが要求された場合に、要求された本画像データの先読みがまったく行われておらず、縮小画像が選択された時点から本画像データの読み込みが開始されるという自体が頻発するおそれがある。このような場合には、本画像データの読み込み又は表示等の迅速化が図れない。
【０００５】
そこで、本発明の解決すべき課題は、サーバ装置から外部装置に与えられたリスト中の見出しの数や、その各見出しに対応する各データのデータ量等に応じて、リスト中の各見出しに対応するデータの外部装置側への先読みを効率よく行うことができ、外部装置におけるリスト中の選択されたデータに対する読み込み又は表示等の迅速性を確保できるサーバ装置を提供することである。
【課題を解決するための手段】
【０００６】
上記の課題を解決するため、請求項１の発明では、複数のデータを記憶する記憶手段と、前記記憶手段に記憶されている前記データに関する見出しを含むリストを作成し、通信回線を介して外部装置に送出するリスト作成手段と、前記リストに含まれる前記見出しのうちの少なくともいずれか１つの見出しを先読み対象して設定し、前記外部装置にて前記リスト中の前記見出しが選択されたか否かにかかわらず、前記通信回線を介して前記外部装置に対し、前記先読み対象とした前記見出しに対応する前記データを先読みさせる先読み制御手段と、前記通信回線を介して前記リストに含まれるいずれかの前記見出しに関する読み込み要求が与えられると、その見出しに対応する前記データを前記記憶部から読み出し、前記通信回線を介して前記外部装置に送出するデータ送出手段とを備え、前記先読み制御手段は、先読み対象とした前記データを、そのデータの全データ量に対する予め設定された割合又はデータ量まで前記外部装置に先読みさせる。
【０００７】
また、請求項２の発明では、請求項１の発明に係るサーバ装置において、前記先読み制御手段は、前記リストに含まれる前記見出しの数又は先読み対象としたデータの数が増加するのに応じて、先読み対象とした各データの全データ量に対する前記外部装置に先読みさせる前記割合又は前記データ量を小さくする。
【０００８】
また、請求項３の発明では、請求項１又は請求項２の発明に係るサーバ装置において、前記先読み制御手段は、前記リスト中の複数の前記見出しを先読み対象とするときに、対応する前記データの特性に応じて予め設定された優先順位に従って、優先順位の高い前記データから優先的に前記外部装置に先読みさせる。
【０００９】
また、請求項４の発明では、請求項１ないし請求項３のいずれかの発明に係るサーバ装置において、通信回線を介して外部装置から検索条件を含む検索要求が与えられると、その検索条件に基づいて、前記記憶手段に記憶されている前記データのうちから前記検索条件に関連するデータを検索する検索処理手段をさらに備え、前記リスト作成手段は、前記検索処理手段によって検索された前記データに関する前記見出しを含むリストを作成し、前記通信回線を介して検索要求元の前記外部装置に送出する。
【００１０】
また、請求項５の発明では、請求項１ないし請求項４のいずれかの発明に係るサーバ装置において、前記記憶手段に記憶される前記データは画像データであり、前記リストに含まれる前記見出しには、検索された前記画像データに対応する実画像の縮小画像が含まれている。
【発明の効果】
【００１１】
請求項１に記載の発明によれば、サーバ装置から外部装置に与えられたリストに含まれる先読み対象となっている見出しに対応するデータを、そのデータの全データ量に対する予め設定された割合又はデータ量まで外部装置に先読みさせるようになっている。それ故、リスト中の見出し又は先読み対象とされた見出しの数が多い場合や、各データのデータ量が大きい場合等であっても、各データに対して先読みを行うデータの割合又はデータ量を小さく設定する等して先読みの効率化を図ることができ、外部装置におけるリスト中の選択された見出しに対応するデータに対する読み込み又は表示等の迅速性を確保できる。
【００１２】
請求項２に記載の発明によれば、サーバ装置から外部装置に与えられたリスト中の見出しの数が増加するのに自動的に対応して、リスト中の各見出しに対応するデータの先読みの効率化を図ることができる。
【００１３】
請求項３に記載の発明によれば、データの特性に応じて予め設定された優先順位に従って優先順位の高いデータから優先的に先読みが行われるため、この優先順位付けを利用することにより、外部装置におけるリスト中の選択されたデータに対する読み込み又は表示等の迅速性をさらに高めることができる。
【００１４】
請求項４に記載の発明によれば、外部装置側からサーバ装置に保存されているデータを検索して読み込む際のデータの読み込み等を迅速に行うことができる。
【００１５】
請求項５に記載の発明によれば、データ量が大きくなりやすい画像データについて、外部装置における検索結果のリスト中に含まれる縮小画像に対応する画像データの読み込みを迅速に行うことができる。
【発明を実施するための最良の形態】
【００１６】
図１は、本発明の一実施形態に係るサーバ装置としてのファクシミリ複合装置１の構成を示すブロック図である。このファクシミリ複合装置１は、図１に示すように、制御部１１、読取部１２、記録部１３、表示部１４、操作部１５、通信部１６、及び記憶手段としての記憶部１７等を備えている。また、このファクシミリ複合装置１の機能には、ファクシミリ機能、コピー機能、スキャナー機能、及びプリンタ機能等が含まれている。
【００１７】
制御部１１は、このファクシミリ複合装置１の制御を統括するものであり、ＣＰＵ等を備えて構成されている。この制御部１１には、機能要素として、検索処理手段としての検索処理部１１ａ、リスト作成手段としてのリスト作成部１１ｂ、先読み制御手段としての先読み制御部１１ｃ、及びデータ送出手段としてのデータ送出部１１ｄが備えられている。これられの検索処理部１１ａ、リスト作成部１１ｂ、先読み制御部１１ｃ及びデータ送出部１１ｄの役割等については、後に詳述する。
【００１８】
読取部１２は、原稿の読み取りを行うものであり、ファックス送信時の原稿の読み取りや、スキャナー機能使用時の原稿の読み取り等に用いられる。記録部１３は、プリンター装置等を備えて構成され、画像データの紙等への印刷を行う。
【００１９】
表示部１４は液晶表示装置等によって構成され、このファクシミリ複合装置１の操作情報等の表示に用いられる。操作部１５は、複数の操作ボタンやタッチパネル等により構成され、このファクシミリ複合装置１の操作に用いられる。
【００２０】
通信部１６は、このファクシミリ装置１の通信インターフェースとして役割を担うものである。この通信部１６には、ファックス通信部２１及びネットワーク通信部２２等が備えられている。ファックス通信部２１は、電話回線網を介したファックスの送受信を担っている。ネットワーク通信部２２は、ＬＡＮ（Local Area Network）及びインターネット等の通信回線としてのネットワーク１８を介したデータ通信を担っている。
【００２１】
より詳細には、ファックス通信部２１には、ＮＣＵ（Network Control Unit）及びモデム等が備えられている。また、ネットワーク通信部２２は、ＳＭＴＰ（Simple Mail Transfer Protocol）、ＰＯＰ（Post Office Protocol）、ＳＭＢ（Server Message Block）、ＨＴＴＰ（HyperText Transfer Protocol）等を取り扱うための機能が備えられている。ネットワーク通信部２２の具体的な機能としては、電子メールの送受、電子メールに画像データを添付して送受するインターネットファックスの送受、及び、ＬＡＮ又はインターネットを介したデータの送受等が含まれている。
【００２２】
記憶部１７は、ハードディスク装置等の大容量記憶装置を備えて構成されている。この記憶部１７の記憶内容としては、例えば、このファクシミリ複合装置１を介して送受信されたファックスの送受信データ、インターネットファックスの送受信データ、電子メールの送受信データ、スキャナー機能使用時に読み取られた画像データ、及びファクシミリ複合装置１を設定や保守管理等に関するデータ等が含まれている。
【００２３】
このように構成されるファクシミリ複合装置１は、ネットワーク（例えば、ＬＡＮ）１８を介してパーソナルコンピュータ等の複数の外部装置３１と接続されている。各外部装置３１には、制御部４１、表示部４２、操作部４３及びネットワーク通信部４４等が備えられている。ネットワーク通信部４４には、ファクシミリ複合装置１のネットワーク通信部２２とほぼ同様な機能が備えられ、外部装置３１とファクシミリ複合装置１との間で種々のデータ通信が行われるようになっている。
【００２４】
ファクシミリ複合装置１と外部装置３１との間で行われるデータ通信の例としては、外部装置３１側からファクシミリ複合装置１の記憶部１７に記憶されたデータを検索し、検索したデータを外部装置３１に読み込んで、表示部４２で表示する等が行われる。本実施形態は、このように検索されたデータを外部装置３１に読み込ませる際のデータの読み込み又は表示等の迅速性確保を主眼とするものである。
【００２５】
次に、制御部１１の検索処理部１１ａ、リスト作成部１１ｂ、先読み制御部１１ｃ及びデータ送出部１１ｄの役割等について説明する。
【００２６】
検索処理部１１ａは、ネットワーク１８を介して外部装置３１から検索条件を含む検索要求が与えられると、その検索条件に基づいて、記憶部１７に記憶されているデータのうちから検索条件に関連するデータを検索する。例えば、受信ファックスの画像データを検索する場合には、受信日時、送信元に関する情報（例えば、ファックス番号等）等を検索条件として、その条件に該当する画像データが検索される。
【００２７】
リスト作成部１１ｂは、検索処理によって抽出されたデータに関する見出し５１（図２参照）を作成するとともに、その見出し５１を含むリスト５２（図２参照）を作成し、そのリスト５２をネットワーク１８を介して検索要求元の外部装置３１に送出する。見出し５１としては、例えば、検索対象が画像データである場合には、その画像データに対応する実画像の縮小画像（サムネイル画像）が用いられる。リスト５２は、例えば所定の閲覧ソフトにより取り扱い可能なＨＴＭＬ、ＸＭＬ等の形式で作成され、外部装置３１に取り込まれると、見出し５１が表示部４２のウインドウ内に列挙されて表示されるようになっている。図２は、画像データについて検索が行われた際に外部装置３１側で表示されるリスト５２のウインドウ画面の構成を示す図である。この図２に示す例では、検索により得られた複数の画像の縮小画像が見出し５１としてウインド画面内に列挙されて表示されている。
【００２８】
また、リスト中の各見出し５１は、記憶部１７内に記憶された対応するデータと関連付けられており、外部装置３１においてリスト５２中のいずれかの見出しが選択（例えば、操作部４３のマウスによるクリック等）されると、その見出し５１に対応するデータの読み込み要求が外部装置３１からファクシミリ複合装置１に送られるようになっている。
【００２９】
先読み制御部１１ｃは、リスト作成部１１ｂが作成したリスト５２に含まれる見出し５１のうちの少なくともいずれか１つの見出し５１を先読み対象して設定する。そして、先読み制御部１１ｃは、外部装置３１にてリスト５２中のいずれかの見出し５１が選択されたか否かにかかわらず、ネットワーク１８を介して検索要求元の外部装置３１に対し、先読み対象とした見出し５１に対応するデータをネットワーク１８を介して外部装置３１に先読みさせる。
【００３０】
このデータの先読みに関しては、より詳細には例えば以下のようか構成が採用される。例えば、Ａｊａｘ（Asynchronous JavaScript + XML）等を用いることにより、先読み対象として設定された見出し５１に対応するデータに対して外部装置３１に読み込み要求を行わせるための先読み指令（スクリプト）が前記リスト５１に付与されて、外部装置３１に送出されるような構成が採用される。この場合、外部措置３１は、先読み指令を受け取ると、先読み対象とされた見出し５１が選択されたか否かにかかわらず、その見出し５１に対応するデータに対する読み込み要求（選択操作に基づかないバックグランドでの読み込み要求）が外部装置３１からファクシミリ複合装置１に送出されるようになっている。
【００３１】
データ送出部１１ｄは、外部装置３１からリスト５２中の見出し５１に対応するデータに対する読み込み要求がネットワーク１８を介して与えられると、その読み込み要求に対応するデータを記憶部１７から読み出し、ネットワーク１８を介して読み込み要求元の外部装置３１に送出する。この読み込み要求には、外部装置３１にてリスト５２中のいずれかの見出し５１が選択され、その選択された見出し５１に対して発せられる読み込み要求（選択操作に基づいた通常の読み込み要求）と、前述の選択操作に基づかない先読みのためのバックグランドでの読み込み要求との両方が含まれる。
【００３２】
外部装置３１からの読み込み要求がバックグランドでの読み込み要求である場合には、その読み込み要求に係るデータの全データ量のうち、先読み制御部１１ｃが設定した先読み量（割合、又はデータ量）に対応したデータ量だけ、外部装置３１に送出される。外部装置３１に送られた先読みデータは、外部装置３１に記憶（例えば、一時記憶）され、そのデータに対する表示指令等が入力されるまで、表示等が行われることなく、外部装置３１内に保持される。
【００３３】
また、外部装置３１からの読み込み要求が選択操作に基づく通常の読み込み要求である場合には、その読み込み要求に係るデータの全データが外部装置３１に送出される。このとき、その読み込み対象のデータについて先読みが行われている場合には、まだ読み込まれていないデータ部分についてのみファクシミリ複合装置１から外部装置３１へのデータ送出が行われる。そして、データが外部装置３１側に読み込まれると、そのデータが外部装置３１に記憶されたり、表示部４２に表示される等の処理が行われる。
【００３４】
ここで、データの先読みに関する制御設定は、ファクシミリ複合装置１の操作部１５を介した操作入力、ネットワーク１８及び外部装置３１を介した設定入力に基づいて手動又は自動で設定されるようになっている。
【００３５】
例えば、外部装置３１に先読みを行わせるか否かについて設定できるようになっており、先読み機能が有効に設定されている場合にのみ、先読みが行われるようになっている。
【００３６】
また、リスト５２中に含まれる見出し５１のうちのいずれを先読み対象とし、どのような順番で先読みするかについては、以下のように設定されてる。すなわち、データの特性に基づいて予め優先順位が設定されており、優先順位の高いデータから順に先読み対象に設定されて先読みが行われるように設定されている。どのようなデータの優先順位を高く設定するかについては、外部装置３１側で読み込みの対象として選択される可能性の高いデータや、データ量が大きく読み込み負担の大きなデータの優先順位が高くなるように設定される。そして、この優先順位付けを利用することにより、外部装置３１におけるリスト５２中の選択されたデータに対する読み込み又は表示等の迅速性を高められるようになっている。
【００３７】
この設定内容の具体例としては、例えば、リスト５２中に既に読み込みが行われたことがある既読データと、まだ読み込みが行われていない未読データとが含まれている場合には、未読データの方を既読データよりも優先順位を高く設定することが考えられる。また、データの日付（例えば、作成日付、受信日付等）に基づいて、新しい日付のデータほど優先順位を高く設定することが考えられる。また、ファックス等の送受信データについて、送信データよりも受信データの方を優先順位を高く設定することが考えられる。また、データのデータ量については、データ量の大きなデータほど優先順位を高く設定することが考えられる。また、データの作成者や送付元、データの種別（ファックスの送受信データか、スキャナーデータか等）等に基づいて、優先順位に差を持たせることも考えられる。
【００３８】
また、リスト５２中の先読み対象とした見出し５１に対応するデータについて、そのデータの全データ量のうちのどの程度の割合又はデータ量を外部装置５１に先読みさせるかについて設定できるようになっている。これによって、リスト５２中の見出し５２又は先読み対象とされた見出し５１の数が多い場合や、各データのデータ量が大きい場合等であっても、各データに対して先読みを行うデータの割合又はデータ量を小さく設定する等して先読みの効率化を図ることができ、外部装置３１におけるリスト５２中の選択された見出し５１に対応するデータに対する読み込み又は表示等の迅速性を確保できるようになっている。
【００３９】
また、リスト５２中の先読み対象とされた見出し５１の数（又はリスト５２中の見出し５１の数）が増加するするのに応じて、先読み対象とされた各見出し５１に対応するデータの全データ量に対する外部装置３１に先読みさせる割合（又はデータ量）が小さくなるように設定できるようになっている。例えば、リスト５２中に先読み対象の見出し５１が１つしかない場合には、その見出し５１に対応するデータを１００％の割合で先読みさせ、先読み対象の見出し５２が２つなら５０％、４つなら２５％という具合に設定される。
【００４０】
図３は、制御部１１の先読み等に関する処理動作を示すフローチャートである。なお、この図３に示す処理動作では、画像に対する検索及び読み込みが行われるようになっている。
【００４１】
外部装置３１にて検索のための操作入力が行われ、画像を検索するための検索条件を含む検索要求がネットワーク１８を介して外部装置３１からファクシミリ複合装置１に与えられると、図３に示すように、ステップＳ１にて、制御部１１の検索処理部１１ａにより、その検索条件に基づいて、記憶部１７に記憶されているデータのうちから検索条件に関連する画像が検索される。また、このステップＳ１では、リスト作成部１１ｂにより、検索処理によって抽出された画像の縮小画像が見出し５１として作成され、その見出し５１を列挙したリスト５２が作成される。
【００４２】
続くステップＳ２で、リスト５２中の見出し５１に対する先読み機能が有効に設定されている場合にはステップＳ３に進み、無効に設定されている場合にはステップＳ４に進む。
【００４３】
ステップＳ３では、先読み制御部１１ｃにより、リスト５２に含まれる見出し５１のうちの少なくともいずれか１つの見出し５１が前述の如く選定手法により先読み対象して設定され、その先読み対象とされた見出し５１に対応するデータのバックグランドでの読み込み要求を外部装置３１に行わせるためのスクリプトがＨＴＭＬ等の形式で作成される。そして、そのスクリプトがリスト５２に含められて、リスト作成部１１ｂによりネットワーク１８を介して検索要求元の外部装置３１に送出され、ステップＳ５に進む。このとき、リスト５２中に先読み対象の見出し５１が複数存在する場合には、前述の如く見出し５１に対応するデータの特性等に基づいて読み込みの優先順位が決定され、その優先順位が高い方から順に先読みされるように指示される。
【００４４】
ステップＳ４では、リスト作成部１１ｂにより、検索で得られたリスト５２のみがネットワーク１８を介して検索要求元の外部装置３１に送出され、ステップＳ５に進む。
【００４５】
ステップＳ５では、データ送出部１１ｄにより、外部装置３１からのデータの読み込み要求があったか否かが判断され、読み込み要求がない場合にはデータの送出処理が行われることなく、検索要求に応じた一連の処理が終了する。
【００４６】
一方、ステップＳ５で読み込み要求があった場合には、ステップＳ６に進み、その読み込み対象のデータが記憶部１７から読み出されて読み込み要求元の外部装置３１にネットワーク１８を介して送出され、ステップＳ５に戻り、すべての読み込み要求に対するデータの送出処理が終了するまでステップＳ５，Ｓ６の処理が繰り返される。
【００４７】
なお、ステップＳ６のデータ送出処理では、前述のごとく、外部装置３１から与えられる読み込み要求がバックグランドでの読み込み要求であるか、選択操作に基づいた通常の読み込み要求であるかに応じてデータの送出処理の内容が異なっている。すなわち、再度簡単に説明すると、読み込み要求がバックグランドでの読み込み要求である場合には、その読み込み要求に係るデータの全データ量のうち、先読み制御部１１ｃが設定した先読み量（割合、又はデータ量）に対応したデータ量だけ、外部装置３１に送出され、外部装置３１からの読み込み要求が選択操作に基づく通常の読み込み要求である場合には、その読み込み要求に係るデータの全データが外部装置３１に送出されようになっている。
【００４８】
なお、上述の実施形態では、検索により抽出されたデータのリスト５２をファクシミリ複合装置１から外部装置３１に送り、そのリスト５２に基づいてデータの先読み及び通常の読み込み等を行うようにしたが、リスト５２は種々のものが採用可能である。例えば、ファクシミリ複合装置１の記憶部１７に記憶されている画像等のデータのリストをファ栗ミリ複合装置１から外部装置３１に送り、そのリストに基づいてデータの先読み及び通常の読み込み等を行うようにしてもよい。
【図面の簡単な説明】
【００４９】
【図１】本発明の一実施形態に係るサーバ装置としてのファクシミリ複合装置の構成を示すブロック図である。
【図２】画像データについて検索が行われた際に外部装置側で表示されるリストのウインドウ画面の構成を示す図である。
【図３】制御部の先読み等に関する処理動作を示すフローチャートである。
【符号の説明】
【００５０】
１  ファクシミリ複合装置
１１  制御部
１１ａ  検索処理部
１１ｂ  リスト作成部
１１ｃ  先読み制御部
１１ｄ  データ送出部
１７  記録部
１８  ネットワーク
３１  外部装置
５１  見出し
５２  リスト
【図１】
2007310444.tif 000003
【図２】
2007310444.tif 000004
【図３】
2007310444.tif 000005